(57)【要約】【課題】ガスケット装着作業が煩雑となることがなく、ガスケット装着状態が不安定となることがなく、装着溝が無い場合でもガスケットを装着することができるガスケットを提供する。また併せて、密封流体または大気中に含まれる摩耗粉などの磁性粉体がガスケットのシール性や耐久性に影響を及ぼすのを抑制することができるガスケットを提供する。【解決手段】ゴム状弾性体製のガスケット本体と前記ガスケット本体の装着部に埋設された磁石とを有し、前記磁石の吸引力をもって装着箇所に装着されることを特徴とする。また、密封流体または大気中に含まれる磁性粉体を吸着することにより前記磁性粉体が当該ガスケットのシール性や耐久性に影響を及ぼすのを抑制する第２磁石が前記ガスケット本体のシール部の近くに設けられていることを特徴とする。【選択図】図１
0003173946.tif 000002
【実用新案登録請求の範囲】
【請求項１】
ゴム状弾性体製のガスケット本体と前記ガスケット本体の装着部に埋設された磁石とを有し、前記磁石の吸引力をもって装着箇所に装着されることを特徴とするガスケット。
【請求項２】
請求項１記載のガスケットにおいて、
前記磁石を埋設するために前記ガスケット本体の装着部に設けられた磁石取付溝が、その溝底部における溝幅よりも溝開口部における溝幅のほうが狭い蟻溝状に形成されていることを特徴とするガスケット。
【請求項３】
請求項１または２記載のガスケットにおいて、
密封流体または大気中に含まれる磁性粉体を吸着することにより前記磁性粉体が当該ガスケットのシール性や耐久性に影響を及ぼすのを抑制する第２磁石が前記ガスケット本体のシール部の近くに設けられていることを特徴とするガスケット。
【請求項４】
請求項３記載のガスケットにおいて、
前記第２磁石が、前記ガスケット本体のシール部を挟んでその密封流体側および大気側の双方にそれぞれ設けられていることを特徴とするガスケット。
【考案の詳細な説明】
【技術分野】
【０００１】
本考案は、シール技術に係るガスケットに関し、更に詳しくは、磁石の吸引力をもって装着箇所に装着される構造のガスケットに関する。本考案のガスケットは例えば、大型機械設備やエンジンのシリンダヘッドカバーなどに用いられる。
【背景技術】
【０００２】
大型の機械設備やエンジンのシリンダヘッドカバーなどでは、ガスケット装着溝の開口部が下向きとなることが多く、ガスケットの装着が重力に逆らっての作業となるため、ガスケット装着作業が煩雑となる場合がある。
【０００３】
このため、一般には図５に示すように、ガスケット５１の側面に脱落防止用の突起５２を設け、この突起５２による係合ないし抜け止めをもってガスケット５１を装着溝５３内に保持することが行なわれている（特許文献１参照）。
【０００４】
しかしながら、この場合、側面突起５２が溝５３の側面に接触することになるため、装着作業に際しガスケット５１を押し込むように嵌め込むことになり、その結果として、ガスケット５１が溝５３内で傾くなど、装着状態が不安定になり易い問題がある。
【０００５】
また、仕様によっては、装着箇所にガスケット装着溝が無い場合もあり、この場合には、ガスケットを装着することができない。
【先行技術文献】
【特許文献】
【０００６】
【特許文献１】実開平７−１８０６９号公報
【考案の概要】
【考案が解決しようとする課題】
【０００７】
本考案は以上の点に鑑みて、ガスケット装着作業が煩雑となることがなく、ガスケット装着状態が不安定となることがなく、装着溝が無い場合でもガスケットを装着することができるガスケットを提供することを目的とする。
【０００８】
また併せて、密封流体または大気中に含まれる摩耗粉などの磁性粉体がガスケットのシール性や耐久性に影響を及ぼすのを抑制することができるガスケットを提供することを目的とする。
【課題を解決するための手段】
【０００９】
上記目的を達成するため、本考案の請求項１によるガスケットは、ゴム状弾性体製のガスケット本体と前記ガスケット本体の装着部に埋設された磁石とを有し、前記磁石の吸引力をもって装着箇所に装着されることを特徴とする。
【００１０】
また、本考案の請求項２によるガスケットは、上記した請求項１記載のガスケットにおいて、前記磁石を埋設するために前記ガスケット本体の装着部に設けられた磁石取付溝が、その溝底部における溝幅よりも溝開口部における溝幅のほうが狭い蟻溝状に形成されていることを特徴とする。
【００１１】
また、本考案の請求項３によるガスケットは、上記した請求項１または２記載のガスケットにおいて、密封流体または大気中に含まれる磁性粉体を吸着することにより前記磁性粉体が当該ガスケットのシール性や耐久性に影響を及ぼすのを抑制する第２磁石が前記ガスケット本体のシール部の近くに設けられていることを特徴とする。
【００１２】
更にまた、本考案の請求項４によるガスケットは、上記した請求項３記載のガスケットにおいて、前記第２磁石が、前記ガスケット本体のシール部を挟んでその密封流体側および大気側の双方にそれぞれ設けられていることを特徴とする。
【００１３】
上記したように本考案においては、ゴム状弾性体製のガスケット本体のほかに磁石が設けられ、この磁石がガスケット本体の装着部に埋設されている。ここにガスケット本体の装着部とは、ガスケット本体における装着箇所に面する部位またはその近傍部位のことを云い、装着箇所とはハウジング等の相手装着部材におけるガスケットを装着する箇所のことを云う。磁石はその磁力による吸引力によって磁性体製の装着箇所に吸着することが可能であり、これに伴ってガスケット全体が磁性体製の装着箇所に装着される。
【００１４】
今、仮に、磁性体製のハウジングにガスケット装着溝が設けられており、ガスケット装着溝はその開口部が下向きであるとする。しかして本考案によれば、この下向きの開口部から装着溝内へ向けて本考案に係る磁石付きガスケットを挿入して磁石を装着溝の溝底面に吸着させれば良く、これによりガスケット全体を装着溝内に保持することができ、作業者が手を離してもガスケットは装着溝から脱落することがない。したがって重力に逆らっての作業であってもガスケットを容易に装着することができ、よってガスケットの装着作業が煩雑となるのを抑制することができる。
【００１５】
また、ガスケット本体は、上記特許文献１記載の従来技術のような側面突起を有しておらず、よって装着作業に際しガスケットを押し込むように嵌め込む必要はなく、結果、ガスケットは溝内で傾きにくい。したがってガスケットの装着状態が不安定となるのを抑制することができる。
【００１６】
また、装着箇所にガスケット装着溝が無い場合であっても、磁石の吸引力によってガスケットを装着箇所に装着することができる。
【００１７】
ゴム状弾性体製のガスケット本体の装着部に磁石を埋設するには、一体成形方式と後付け方式とが考えられる。一体成形方式は、ガスケット本体を成形する金型のキャビティに予め磁石をインサートした状態で成形材料を注入してガスケット本体を成形し、ガスケット本体の成形と同時にガスケット本体に磁石を埋設する。後付け方式は、ガスケット本体を金型で成形し、金型から取り出してのちに磁石を埋設する。後者の後付け方式の場合、ガスケット本体の装着部には、磁石を埋設するための磁石取付溝を設ける。この磁石取付溝としては溝側面が互いに平行な矩形溝であっても良いが、溝底部における溝幅よりも溝開口部における溝幅のほうが狭い蟻溝状の溝としても良く、この場合には、溝から磁石が脱落しにくくなる利点がある。尚、同じく断面形状に関して、ガスケット本体の断面形状については、円形（Ｏリング）のほか、Ｄ字形（Ｄリング）や矩形（矩形リング）などが考えられ、特に限定されるものではない。
【００１８】
また、磁石は、上記したようにガスケットを装着箇所に装着するために利用するが、このほか、その吸引力によって周辺雰囲気中の異物を除去することが考えられ、すなわち密封流体または大気中に含まれる磁性粉体を吸着することによって磁性粉体がガスケットのシール性や耐久性に影響を及ぼしにくくすることが考えられる。但しこの磁石は機能上、ガスケット本体の装着部ではなくシール部の近くに設けることが好ましいので、第２の磁石として別途設けることにする。またこの場合、この第２の磁石をガスケット本体のシール部を挟んでその密封流体側および大気側の双方にそれぞれ設けることにより、密封流体中に含まれる磁性粉体および大気中に含まれる磁性粉体の双方をそれぞれ吸着することができる。
【考案の効果】
【００１９】
本考案は、以下の効果を奏する。
【００２０】
すなわち、本考案のガスケットは、磁石の吸引力によって装着箇所に装着されるために、重力に逆らっての作業であってもガスケットを容易に装着することができ、よってガスケットの装着作業が煩雑となるのを抑制することができる。またガスケットは、側面突起を有しておらず、装着作業に際しガスケットを押し込むように嵌め込む必要がないために、溝内で傾きにくく、よってガスケットの装着状態が不安定となるのを抑制することができる。またガスケットは、磁石の吸引力によって装着箇所に装着されるために、装着箇所にガスケット装着溝が無い場合であっても装着することができる。
【００２１】
ガスケット本体の装着部に設ける磁石取付溝を蟻溝状とする場合には、溝から磁石が脱落するのを抑制することができる。ガスケット本体に第２磁石を設ける場合には、密封流体または大気中に含まれる磁性粉体を吸着することにより磁性粉体がガスケットのシール性や耐久性に影響を及ぼすのを抑制することができる。第２磁石をガスケット本体のシール部を挟んでその密封流体側および大気側の双方にそれぞれ設ける場合には、密封流体中に含まれる磁性粉体および大気中に含まれる磁性粉体の双方をそれぞれ吸着することができ、これらの磁性粉体がガスケットのシール性や耐久性に影響を及ぼすのを抑制することができる。
【図面の簡単な説明】
【００２２】
【図１】本考案の第一実施例に係るガスケットの装着状態を示す要部断面図
【図２】（Ａ）は同ガスケットにおけるガスケット本体の一例を示す要部断面図、（Ｂ）は同ガスケットにおけるガスケット本体の他の例を示す要部断面図
【図３】本考案の第二実施例に係るガスケットの装着状態を示す要部断面図
【図４】本考案の第三実施例に係るガスケットの装着状態を示す要部断面図
【図５】従来例に係るガスケットの装着状態を示す要部断面図
【考案を実施するための形態】
【００２３】
つぎに本考案の実施例を図面にしたがって説明する。
【００２４】
第一実施例・・・・
図１は、本考案の第一実施例に係るガスケット１を示しており、当該実施例に係るガスケット１は、ゴム状弾性体製のガスケット本体１１と、このガスケット本体１１の装着部１２に埋設された磁石２１とを有し、磁石２１の吸引力をもって装着箇所に装着されることを特徴としている。装着箇所としては、磁性体製のハウジング３１に設けた断面矩形のガスケット装着溝３２が想定されており、この装着溝３２はその開口部３２ａが下向きとされている。当該ガスケット１は磁石付きであることから、磁石付きガスケットと称され、また磁石付きパッキンと称されることもある。
【００２５】
ガスケット本体１１は、所定のゴム状弾性体によって断面円形のエンドレス体（閉ループ体）として成形され、すなわち所定の平面レイアウトを備えるＯリングとして成形されている。またガスケット本体１１は、装着溝３２の溝底面３２ｂに面する装着部１２を厚み方向一方（上方）の円弧面（上面）に有し、図示しない相手方部材に密接するシール部１３を厚み方向他方（下方）の円弧面（下面）に有している。またガスケット本体１１は、その幅寸法（線径）を装着溝３２の溝幅寸法よりも小さく設定されている。またガスケット本体１１は、上記特許文献１記載の従来技術のような側面突起の類を有していない。
【００２６】
ガスケット本体１１における装着部１２に磁石取付溝１４が設けられ、この磁石取付溝１４に磁石２１が嵌合され埋設されている。磁石２１は永久磁石であって断面矩形に形成されている。磁石取付溝１４はこれも図２（Ａ）に示すように断面矩形に形成されているが、図２（Ｂ）に示すように溝底部における溝幅ｗ１よりも溝開口部における溝幅ｗ２のほうが狭い蟻溝状に形成されたものであっても良い。
【００２７】
上記構成を備えるガスケット１においては、当該ガスケット１が磁石２１の吸引力によって装着箇所に装着されるために、重力に逆らっての作業であってもガスケット１を容易に装着することができ、よってガスケット１の装着作業が煩雑となるのを抑制することができる。またガスケット１は、側面突起の類を有しておらず、装着作業に際しガスケット１を押し込むように嵌め込む必要がないために、溝３２内で傾きにくく、よってガスケット１の装着状態が不安定となるのを抑制することができる。また、磁石取付溝１４が蟻溝状とされる場合には、溝１４から磁石２１が脱落するのを抑制することができ、反対に、装着箇所に吸着した状態の磁石２１からガスケット本体１１が脱落するのを抑制することもできる。また、当該ガスケット１はこれを磁石２１の吸引力によって、ガスケット装着溝が無い装着箇所に装着することもできる。
【００２８】
第二実施例・・・・
図３は、本考案の第二実施例に係るガスケット１を示しており、当該実施例に係るガスケット１は、ゴム状弾性体製のガスケット本体１１と、このガスケット本体１１の装着部１２に埋設された磁石２１とを有し、磁石２１の吸引力をもって装着箇所に装着されることを特徴としている。装着箇所としては、磁性体製のハウジング３１に設けた断面矩形のガスケット装着溝３２が想定されており、この装着溝３２はその開口部３２ａを下向きとされている。当該ガスケット１は磁石付きであることから、磁石付きガスケットと称され、また磁石付きパッキンと称されることもある。
【００２９】
ガスケット本体１１は、所定のゴム状弾性体によって断面Ｄ字形のエンドレス体（閉ループ体）として成形され、すなわち所定の平面レイアウトを備えるＤリングとして成形されている。またガスケット本体１１は、装着溝３２の溝底面３２ｂに面する装着部１２を厚み方向一方（上方）の平面（上面）に有し、図示しない相手方部材に密接するシール部１３を厚み方向他方（下方）の円弧面（下面）に有している。またガスケット本体１１は、その幅寸法（線径）を装着溝３２の溝幅寸法よりも小さく設定されている。またガスケット本体１１は、上記特許文献１記載の従来技術のような側面突起の類を有していない。
【００３０】
ガスケット本体１１における平面状の装着部１２に磁石取付溝１４が設けられ、この磁石取付溝１４に磁石２１が嵌合され埋設されている。磁石２１は永久磁石であって断面矩形に形成されている。磁石取付溝１４はこれも断面矩形に形成されているが、溝底部における溝幅よりも溝開口部における溝幅のほうが狭い蟻溝状に形成されたものであっても良い。
【００３１】
上記構成を備えるガスケット１においては、当該ガスケット１が磁石２１の吸引力によって装着箇所に装着されるために、重力に逆らっての作業であってもガスケット１を容易に装着することができ、よってガスケット１の装着作業が煩雑となるのを抑制することができる。またガスケット１は、側面突起の類を有しておらず、装着作業に際しガスケット１を押し込むように嵌め込む必要がないために、溝３２内で傾きにくく、よってガスケット１の装着状態が不安定となるのを抑制することができる。また、磁石取付溝１４が蟻溝状とされる場合には、溝１４から磁石２１が脱落するのを抑制することができ、反対に、装着箇所に吸着した状態の磁石２１からガスケット本体１１が脱落するのを抑制することもできる。また、当該ガスケット１はこれを磁石２１の吸引力によって、ガスケット装着溝が無い装着箇所に装着することもできる。
【００３２】
第三実施例・・・・
図４は、本考案の第三実施例に係るガスケット１を示しており、当該実施例に係るガスケット１は、ゴム状弾性体製のガスケット本体１１と、このガスケット本体１１の装着部１２に埋設された磁石２１とを有し、磁石２１の吸引力をもって装着箇所に装着されることを特徴としている。装着箇所としては、磁性体製のハウジング３１に設けた断面矩形のガスケット装着溝３２が想定されており、この装着溝３２はその開口部３２ａを下向きとされている。当該ガスケット１は磁石付きであることから、磁石付きガスケットと称され、また磁石付きパッキンと称されることもある。
【００３３】
また、当該実施例に係るガスケット１においては、密封流体または大気中に含まれる磁性粉体を吸着することによりこの磁性粉体が当該ガスケット１のシール性や耐久性に影響を及ぼすのを抑制する第２磁石２２がガスケット本体１１のシール部１３の近くに設けられており、またこの第２磁石２２は、ガスケット本体１１のシール部１３を挟んでその密封流体側および大気側の双方にそれぞれ設けられている。
【００３４】
ガスケット本体１１は、所定のゴム状弾性体によって断面Ｄ字形のエンドレス体（閉ループ体）として成形され、すなわち所定の平面レイアウトを備えるＤリングとして成形されている。またガスケット本体１１は、装着溝３２の溝底面３２ｂに面する装着部１２を厚み方向一方（上方）の平面（上面）に有し、図示しない相手方部材に密接するシール部１３を厚み方向他方（下方）の円弧面（下面）に有している。またガスケット本体１１は、その幅寸法（線径）を装着溝３２の溝幅寸法よりも小さく設定されている。またガスケット本体１１は、上記特許文献１記載の従来技術のような側面突起の類を有していない。
【００３５】
ガスケット本体１１における装着部１２に磁石取付溝１４が設けられ、この磁石取付溝１４に磁石２１が嵌合され埋設されている。磁石２１は永久磁石であって断面矩形に形成されている。磁石取付溝１４はこれも断面矩形に形成されているが、溝底部における溝幅よりも溝開口部における溝幅のほうが狭い蟻溝状に形成されたものであっても良い。
【００３６】
また、ガスケット本体１１におけるシール部１３の密封流体側（図では右側）に第２磁石取付溝１５が設けられ、この第２磁石取付溝１５に第２磁石２２が嵌合され埋設されている。第２磁石２２は永久磁石であって断面矩形に形成されている。第２磁石取付溝１５はこれも断面矩形に形成されているが、溝底部における溝幅よりも溝開口部における溝幅のほうが狭い蟻溝状に形成されたものであっても良い。
【００３７】
また、ガスケット本体１１におけるシール部１３の大気側（図では左側）にも第２磁石取付溝１５が設けられ、この第２磁石取付溝１５に第２磁石２２が嵌合され埋設されている。第２磁石２２は永久磁石であって断面矩形に形成されている。第２磁石取付溝１５はこれも断面矩形に形成されているが、溝底部における溝幅よりも溝開口部における溝幅のほうが狭い蟻溝状に形成されたものであっても良い。
【００３８】
上記構成を備えるガスケット１においては、当該ガスケット１が磁石２１の吸引力によって装着箇所に装着されるために、重力に逆らっての作業であってもガスケット１を容易に装着することができ、よってガスケット１の装着作業が煩雑となるのを抑制することができる。またガスケット１は、側面突起の類を有しておらず、装着作業に際しガスケット１を押し込むように嵌め込む必要がないために、溝３２内で傾きにくく、よってガスケット１の装着状態が不安定となるのを抑制することができる。また、磁石取付溝１４が蟻溝状とされる場合には、溝１４から磁石２１が脱落するのを抑制することができ、反対に、装着箇所に吸着した状態の磁石２１からガスケット本体１１が脱落するのを抑制することができる。また、当該ガスケット１はこれを磁石２１の吸引力によって、ガスケット装着溝が無い装着箇所に装着することもできる。
【００３９】
また、ガスケット本体１１におけるシール部１３の近くに第２磁石２２が設けられているために、この第２磁石２２が密封流体または大気中に含まれる摩耗粉などの磁性粉体を吸着することによって、この磁性粉体がガスケット１のシール性や耐久性に影響を及ぼすのを抑制することができる。また、この第２磁石２２がガスケット本体１１におけるシール部１３を挟んでその密封流体側および大気側の双方にそれぞれ設けられているために、密封流体中に含まれる磁性粉体および大気中に含まれる磁性粉体の双方をそれぞれ吸着することができ、これらの磁性粉体がガスケット１のシール性や耐久性に影響を及ぼすのを抑制することができる。
【符号の説明】
【００４０】
１  ガスケット
１１  ガスケット本体
１２  装着部
１３  シール部
１４  磁石取付溝
１５  第２磁石取付溝
２１  磁石
２２  第２磁石
３１  ハウジング
３２  ガスケット装着溝
３２ａ  開口部
３２ｂ  溝底面
【図１】
0003173946.tif 000003
【図２】
0003173946.tif 000004
【図３】
0003173946.tif 000005
【図４】
0003173946.tif 000006
【図５】
0003173946.tif 000007
【手続補正書】
【提出日】平成24年1月12日(2012.1.12)
【手続補正１】
【補正対象書類名】図面
【補正対象項目名】全図
【補正方法】変更
【補正の内容】
【図１】
0003173946.tif 000008
【図２】
0003173946.tif 000009
【図３】
0003173946.tif 000010
【図４】
0003173946.tif 000011
【図５】
0003173946.tif 000012